(57)【要約】【課題】妨害信号の影響を低減するに際し、装置側が処理を自動で実行することが可能なテレビジョン受像機を提供する。【解決手段】受信信号から中間周波数信号を生成し、この中間周波数信号を用いて映像又は音声を出力するテレビジョン受像機において、第１の局部発振周波数により中間周波数信号を生成する第１中間周波数生成部と、前記第１の局部発振周波数とは異なる第２の局部発振周波数により中間周波数信号を生成する第２中間周波数生成部と、前記第１中間周波数生成部及び前記第２中間周波数生成部から出力された中間周波数信号の受信状態を判断する受信状態判断部と、前記第１中間周波数生成部又は前記第２中間周波数生成部の内、受信状態が良い方を選択し、前記中間周波数を出力させる選択出力部と、を有する。【選択図】図２
2011114783.tif 000002
【特許請求の範囲】
【請求項１】
受信信号から中間周波数信号を生成し、この中間周波数信号を用いて映像又は音声を出力するテレビジョン受像機において、
第１の局部発振周波数により中間周波数信号を生成する第１中間周波数生成部と、
前記第１の局部発振周波数とは異なる第２の局部発振周波数により中間周波数信号を生成する第２中間周波数生成部と、
前記第１中間周波数生成部及び前記第２中間周波数生成部から出力された中間周波数信号の受信状態を判断する受信状態判断部と、
前記第１中間周波数生成部又は前記第２中間周波数生成部の内、判断された受信状態が良い方を選択し前記中間周波数信号を出力させる選択出力部と、を有することを特徴とするテレビジョン受像機。
【請求項２】
前記受信状態判断部は、前記中間周波数信号のキャリア／ノイズ比をもとに受信状態を判断することを特徴とする請求項１に記載のテレビジョン受像機。
【請求項３】
前記受信状態判断部は、中間周波数信号の振幅が所定値より大きい場合に、前記受信状態が悪いと判断することを特徴とする請求項１に記載のテレビジョン受像機。
【請求項４】
前記第１中間周波数生成部と前記第２中間周波数生成部は、前記第１及び第２の局部発振周波数を変更可能であって、
前記受信状態判断部は、前記受信状態がともに良くない場合は、前記第１及び第２の局部発振周波数を変更して再度中間周波数信号を生成し、新たに生成された中間周波数信号を用いて判断を行うことを特徴とする請求項１から請求項３のいずれ一項に記載のテレビジョン受像機。
【請求項５】
前記第１中間周波数生成部と前記第２中間周波数生成部は、前記前記第１及び第２の局部発振周波数を変更可能であって、
前記受信状態判断部は、前記中間周波数信号のキャリア／ノイズ比をもとに受信状態を判断し、
前記受信状態がともに良くない場合は、前記第１及び第２の局部発振周波数を変更して再度中間周波数信号を生成し、新たに生成された中間周波数信号を用いて判断を行うことを特徴とする請求項１に記載のテレビジョン受像機。
【発明の詳細な説明】
【技術分野】
【０００１】
本発明はテレビジョン受像機に関し、特にチャンネル信号を中間周波数信号に変調するテレビジョン受像機に関する。
【背景技術】
【０００２】
従来、デジタル放送やＢＳ放送をアンテナにより受信し、この放送電波からデジタルデーターを抽出するテレビジョン受像機が知られている。テレビジョン受像機は、上記各放送に対応した選局部を備えており、この選局部により放送信号の所定の周波数帯を抽出し、抽出された信号を中間周波数信号に変調した後、後段の回路によりデジタルデーターに変換して映像として出力する。
【０００３】
また、上記選局部においてヘテロダイン方式によりチャンネル信号を中間周波数信号に変調するものが知られている。このヘテロダイン方式による周波数変調は、増幅後のチャンネル信号を所定の周波数を備える局部発振周波数と合成させて周波数変調を行い、変調後の信号をバンドパスフィルターを通じて抽出する。
【０００４】
上記したテレビジョン受像機において、変調後の信号と同じ周波数帯に妨害信号が存在する場合、この妨害信号に影響されて後段の回路による映像出力が正しく行われない場合がある。そのため、局部発振周波数を可変させることで妨害信号の影響を低減する選局部が開示されている（例えば、特許文献１−３参照。）。
【先行技術文献】
【特許文献】
【０００５】
【特許文献１】特開２００５−３１１９６５号公報
【特許文献２】特開２００６−１２８７５７号公報
【特許文献３】特開２００８−１６０６６０号公報
【発明の概要】
【発明が解決しようとする課題】
【０００６】
上記したように、従来の選局部では、妨害信号の影響を低減させるために局部発振周波数を変更するが、この周波数の変更は手動により行われており、何らかの条件のもと自動で実行するものではなかった。そのため、ユーザーに負担を強いる結果となっていた。
【０００７】
本発明は、上記課題にかんがみてなされたもので、妨害信号の影響を低減するに際し、装置側が処理を自動で実行することが可能なテレビジョン受像機の提供を目的とする。
【課題を解決するための手段】
【０００８】
上記課題を解決するために、本発明では、受信信号から中間周波数信号を生成し、この中間周波数信号を用いて映像又は音声を出力するテレビジョン受像機において、第１の局部発振周波数により中間周波数信号を生成する第１中間周波数生成部と、前記第１の局部発振周波数とは異なる第２の局部発振周波数により中間周波数信号を生成する第２中間周波数生成部と、前記第１中間周波数生成部及び前記第２中間周波数生成部から出力された中間周波数信号の受信状態を判断する受信状態判断部と、前記第１中間周波数生成部又は前記第２中間周波数生成部の内、受信状態が良い方を選択し、前記中間周波数を出力させる選択出力部と、を有する構成としてある。
【０００９】
上記のように構成された発明では、テレビジョン受像機は、第１の局部発振周波数により中間周波数信号を生成する第１中間周波数生成部と、前記第１の局部発振周波数とは異なる第２の局部発振周波数により中間周波数信号を生成する第２中間周波数生成部とを有しており、受信状態判断部は、第１中間周波数生成部及び第２中間周波数生成部から出力された中間周波数信号の受信状態を判断し、選択出力部は、前記第１中間周波数生成部又は前記第２中間周波数生成部の内、判断された受信状態が良い方を選択し、中間周波数を出力させる。
そのため、妨害信号が第１中間周波数生成部又は第２中間周波数生成部により生成された中間周波数のいずれかに影響を与えている場合に、各中間周波数信号を比較して受信状態の良い方の中間周波数信号を選択するため、テレビジョン受像機側で自動で妨害信号の影響を低減させることができる。
【００１０】
また、中間周波数信号の受信状態を判断する構成の一例として、前記受信状態判断部は、前記中間周波数信号のキャリア／ノイズ比をもとに受信状態を判断する構成としてもよい。
上記のように構成された発明では、キャリア／ノイズ比により判断するため、中間周波数信号の信号状態に応じた受信状態を判断することができる。
【００１１】
そして、前記受信状態判断部は、中間周波数信号の振幅が所定値より大きい場合に、前記受信状態が悪いと判断する構成としてもよい。
中間周波数が妨害信号に合成されて出力される場合、信号のレベルは妨害信号のレベルとして検出される場合が多い。そのため、受信状態を信号レベルにより検出することでより簡易に中間周波数信号の受信状態を判断することができる。
【００１２】
さらに、前記第１中間周波数生成部と前記第２中間周波数生成部は、前記第１及び第２の局部発振周波数を変更可能であって、前記受信状態判断部は、前記受信状態がともに良くない場合は、前記第１及び第２の局部発振周波数を変更して再度中間周波数信号を生成し、新たに生成された中間周波数信号を用いて判断を行う構成としてもよい。
上記のように構成された発明では、受信状態が悪い環境においても、最適な局部発振周波数により中間周波数を生成するため、妨害信号に対する耐性が強いテレビジョン受像機を提供することができる。
【００１３】
そして、本発明の他の局面として、前記第１中間周波数生成部と前記第２中間周波数生成部は、前記第１及び第２の局部発振周波数を変更可能であって、前記受信状態判断部は、前記中間周波数信号のキャリア／ノイズ比をもとに受信状態を判断し、前記受信状態がともに良くない場合は、前記第１及び第２の局部発振周波数を変更して再度中間周波数信号を生成し、新たに生成された中間周波数信号を用いて判断を行う構成としてもよい。
【発明の効果】
【００１４】
以上説明したように本発明によれば、テレビジョン受像機側で自動で妨害信号の影響を低減させることができる。
また請求項２にかかる発明によれば、中間周波数信号の信号状態に応じた受信状態を判断することができる。
そして請求項３にかかる発明によれば、より簡易に中間周波数信号の受信状態を判断することができる。
さらに請求項４にかかる発明によれば、妨害信号に対する耐性が強いテレビジョン受像機を提供することができる。
【図面の簡単な説明】
【００１５】
【図１】テレビジョン受像機１００の構成を説明するブロック構成図である。
【図２】フロントエンド部９２の構成を説明するブロック図である。
【図３】フロントエンド部９２により実行されるチャンネル信号の周波数変調を説明する図である。
【図４】フロントエンド部９２により実行される発振周波数設定処理を説明するフローチャートである。
【図５】中間周波数信号の位相とこの位相により表現される値との関係を示すコンスタレーション表示を説明するための図である。
【図６】第２の実施形態において図４のステップＳ４により実行される処理を説明するフローチャートである。
【発明を実施するための形態】
【００１６】
以下、図を参照しつつ下記の順序に従って本発明の実施形態を説明する。
（１）第１の実施形態：
（２）第２の実施形態：
（３）その他の実施形態：
【００１７】
（１）第１の実施形態：
以下、本発明にかかる第１の実施形態としてのテレビジョン受像機を図を用いて説明する。図１は、テレビジョン受像機９０の構成を説明するブロック構成図である。図１に示すテレビジョン受像機９０は、図示しないアンテナが受信したテレビジョン放送をもとにデジタルデーターを抽出して映像を出力する。
【００１８】
＝＝＝テレビジョン受像機の構成＝＝＝
テレビジョン受像機９０は以下の要部を備えて構成されている。符号９１は、制御部であり、テレビジョン受像機９０の駆動を制御する。符号９２は、フロントエンド部であり、図示しないアンテナが受信した放送電波からリモコン装置を介して選局されたチャンネルのデジタルデーターを抽出する。符号９３は、バックエンド部であり、選択されたデジタルデーターから映像信号及び音声信号を復号化し、出力する。符号９４は、ディスプレイであり、復号された映像信号をもとに映像を出力する。符号９５は、スピーカーであり、復号された音声信号をもとに音声を出力する。符号９６は、リモコン受信部であり、リモコン装置から出力される赤外線信号を受信し、制御部９１に制御コマンドを出力する。
【００１９】
制御部９１は、リモコン受信部９６を介して入力される制御コマンド又は記憶されたプログラムに従って、テレビジョン受像機９０の駆動を制御する。なお、制御部９１は、図示しないＣＰＵや、ＣＰＵを駆動させるためのプログラムやデーターが記憶されたＲＯＭ、及びＣＰＵのワークエリアとして作用するＲＡＭを備えて構成されている。なお、制御部９１とテレビジョン受像機９０を構成する各部とはバスを介して接続されており、このバスを介して制御が行われる。
【００２０】
図２は、フロントエンド部９２の構成を説明するブロック図である。フロントエンド部９２は、各種アンテナが受信した放送電波からユーザーがリモコン装置により選択されたチャンネル信号を選局するＢＰＦ（バンドパスフィルター）８０と、選局されたチャンネル信号を中間周波数信号に変調して出力する第１中間周波数生成部７０及び第２中間周波数生成部６０や、選局された中間周波数信号をデジタルデーターに変換する復調回路５０、更には制御部９１の制御に応じて任意の周波数を備える信号を出力する信号出力部４０と、を備えて構成されている。
【００２１】
第１中間周波数生成部７０は、ＢＰＦ８０により選局されたチャンネル信号から中間周波数信号を生成して、出力するものであり、以下の要部を備えて構成されている。符号７１は、アンプであり、抽出されたチャンネル信号を増幅する。符号７２は、ミキサーであり、局部発振器７３から出力される局部発振周波数（第１の局部発振周波数）ＦＡを用いて増幅されたチャンネル信号の周波数を変調する。符号７４は、ＰＬＬ回路であり、制御部９１からの制御信号に応じて局部発振器７３が出力する局部発振周波数ＦＡの周期を可変する。符号７５は、ＡＧＣ回路であり、アンプ７１の利得をフィードバック制御する。符号７６は、ＢＰＦであり、ミキサー７２から出力される信号の内、所定周波数のものをフィルタリングする。符号７７は、Ｉ／Ｆアンプであり、ＢＰＦ７６から出力された信号を増幅する。
【００２２】
上記第１中間周波数生成部７０の構成により、選局されたチャンネル信号が入力すると、ミキサー７２は、チャンネル信号の周波数に対して局部発振周波数ＦＡをプラス又はマイナスして所定周期の周波数に変調する。そして、変調されたチャンネル信号は、ＢＰＦ７６により高周波成分、又は低周波成分をフィルタリングされた後、Ｉ／Ｆアンプ７７により増幅されて中間周波数信号として復調回路５０に出力される。
【００２３】
第２中間周波数生成部６０は、第１中間周波数生成部７０と同様、アンプ６１、ミキサー６２、局部発振器６３、ＰＬＬ回路６４、ＡＧＣ回路６５、ＢＰＦ６６、Ｉ／Ｆアンプ６７とを備えて構成されている。また、局部発振器６３が出力する局部発振周波数（第２の局部発振周波数）ＦＢの周波数は、局部発振器７３が出力する局部発振周波数ＦＡの周波数と異なるよう設定されている。
【００２４】
復調回路５０は、中間周波数信号を復調するものであり、以下の要部を備えて構成されている。符号５１は、ＡＧＣ回路であり、Ｉ／Ｆアンプ６７，７７の利得をフィードバック制御する。符号５２は、判断部（受信状態判断部）であり、第１中間周波数生成部７０及び第２中間周波数生成部６０から出力された中間周波数信号の受信状態を判断する。符号５３は、切り替え回路（選択出力部）であり、制御部９１からの制御信号により第１中間周波数生成部７０又は第２中間周波数生成部６０から出力された中間周波数信号を選択して出力する。符号５４は、Ａ／Ｄ変換回路であり、中間周波数信号をアナログ／デジタル変換してデジタルデーターを出力する。なお、上記した復調回路５０を構成する各部は制御部９１に接続されており、制御部９１からの制御信号に応じて処理を実行する。
【００２５】
信号出力部４０は、制御部９１の指示に応じて任意の周波数を備える信号を出力する。信号出力部４０は、テレビジョン受像機９０により選局可能な複数のチャンネル信号と同じ周波数を備える信号を検査信号として出力可能である。また、この検査信号には復調回路５０により復調された際、予め所定のデジタル値に変換されるよう設定されている。
【００２６】
バックエンド部９３は、取得されたデジタルデーターのスクランブルを解除するデスクランブル部や、スクランブルを解除されたデジタルデーターからＭＰＥＧ形式の映像・音声信号、及びＴＳ信号を取り出すＭＰＥＧ多重分離部、更には、映像・音声信号を復号する映像・音声復号部を備えて構成されている。
【００２７】
上記構成により、テレビジョン受像機９０は、選局したチャンネル信号からデジタルデーターを抽出し、映像又は音声として出力する。また、本実施形態にかかるテレビジョン受像機９０は、異なる局部発振周波数（ＦＡ，ＦＢ）を備える第１中間周波数生成部７０及び第２中間周波数生成部６０によりチャンネル信号から中間周波数信号を生成し、後段の復調回路５０に出力する。また、復調回路５０は入力された中間周波数信号の内、受信状態の良い方を自動で選択してデジタル信号を復調することができる（以下、このような処理を発振周波数設定処理と記載する）。
【００２８】
図３は、フロントエンド部９２により実行されるチャンネル信号の周波数変調を説明する図である。図３（ａ）に示すように、中間周波数信号に近い帯域に妨害信号が発生している場合、復調されたデジタル信号にエラーが発生する場合がある。一方、本発明では、局部発振周波数が異なる第１中間周波数生成部７０又は第２中間周波数生成部６０のいずれかで変調したチャンネル信号を使用するため、中間周波数信号の帯域を妨害信号と離れた帯域に設定することができ、妨害信号の影響を低減して良好な映像出力を行うことができる（図３（ｂ））。以下、本発明にかかるフロントエンド部９２の機能についてより詳細に説明を行う。
【００２９】
＝＝＝発振周波数設定処理の説明＝＝＝
図４は、フロントエンド部９２により実行される発振周波数設定処理を説明するフローチャートである。ユーザーがリモコン装置を操作して所望のチャンネルを選局すると、ステップＳ１では、制御部９１はこの選局信号を受信し、選局されたチャンネル信号と同じ周波数の検査信号をＢＰＦ４０に出力する。ここで、図示しないメモリーに記憶されたチャンネルマップには、各チャンネルの周波数が設定されており、制御部９１は選局されたチャンネルに対応した周波数をチャンネルマップを参照して判断し、信号出力部４０に検査信号を出力させる。
【００３０】
ステップＳ２では、制御部９１は、第１中間周波数生成部７０に抽出されたチャンネル信号から中間周波数信号を生成させる。即ち、制御部９１は第１中間周波数生成部７０に対して、局部発振器７３から出力される局部発振周波数ＦＡを用いて検査信号の周波数を変調し、変調後の検査信号をアンプにより増幅して、中間周波数信号を生成させる。
【００３１】
ステップＳ３では、制御部９１は、第２中間周波数生成部６０に抽出された検査信号から中間周波数信号を生成させる。即ち、制御部９１は、第２中間周波数生成部６０に対して、局部発振器６３から出力される局部発振周波数ＦＢを用いて検査信号の周波数を変調し、変調後のチャンネル信号をアンプにより増幅して、中間周波数信号を生成させる。
【００３２】
ステップＳ４では、復調回路５０は、第１中間周波数生成部７０及び第２中間周波数生成部６０から出力された中間周波数信号の受信状態を判断する。その一例として、判断部５２は、第１中間周波数生成部７０及び第２中間周波数生成部６０から出力された中間周波数信号のキャリア／ノイズ比をもとに受信状態を判断する。中間周波数信号が妨害信号の影響を受けている場合、中間周波数信号が正しく生成されず、キャリア／ノイズ比が高くなる。そのため、判断部５２は、中間周波数信号のキャリア／ノイズ比を検出することで、妨害信号の影響（受信状態）を判断することが可能となる。
【００３３】
判断部５２がキャリア／ノイズ比を判断する具体例として、判断部５２は中間周波数信号の位相とこの位相により表現されるデジタル値（１、０、又はその組合せ）との関係をもとにチャンネル信号のキャリア／ノイズ比を判断する。例えば、日本の地上波デジタル放送で採用されるＤＰＳＫ方式では、データーの変化に応じて信号の位相を変化させて所定データーを転送する。そのため、判断部５２は、中間周波数信号の位相変化を、この中間周波数信号のもととなる検査信号により予め設定された値と比較することで中間周波数信号のキャリア／ノイズ比を判断する。
【００３４】
図５は、中間周波数信号の位相とこの位相により表現される値との関係を示すコンスタレーション表示を説明するための図である。このコンスタレーション表示では、中間周波数信号の位相関係と、この位相に対応したデジタル値をＩ軸（横軸）及びＱ軸（縦軸）により規定された座標上で表現するものである。そのため、図５において、デジタル値「００」は、位相θを備えるアナログ信号により表現され、デジタル値「１１」はデジタル値「００」に対して位相が９０度だけずれたアナログ信号により表現される。一方、位相が所定の座標から外れた信号は、デジタル値を正確に判定できずエラーが発生する確率が高くなる。そのため、判断部５２は、中間周波数信号の各位相のずれを閾値と比較し、ずれが閾値以上である位相をエラーとして判定することで中間周波数信号におけるノイズ／エラーレートを判断する。
【００３５】
ステップＳ５では、判断部５２は、ステップＳ４による判断結果にもとづいて中間周波数信号の比較を行う。即ち、制御部９１は、ステップＳ４で検出したキャリア／ノイズ比が小さい中間周波数信号を受信状態が良いと判断する。
【００３６】
ステップＳ６では、制御部９１は、ステップＳ５により受信状態が良いと判断された中間周波数生成部を以後、この選局チャンネルで使用するよう切り替えを行う。具体的には、制御部９１は、切り替え回路５３に対して、ステップＳ５の判断結果に応じて第１中間周波数生成部７０又は第２中間周波数生成部６０のいずれかとの接続を確立させる。そのため、以後、切り替え回路５３により選択された中間周波数発生部から出力される中間周波数信号がＡ／Ｄ変換部５４を通じてバックエンド部９３に出力される。
【００３７】
以上説明したように、テレビジョン受像機９０は、局部発振周波数の異なる第１中間周波数生成部７０と第２中間周波数生成部６０とを備え、各部から出力されるチャンネル信号の受信状態に応じて自動で中間周波数信号を切換えることができる。
【００３８】
（２）第２の実施形態：
第１中間周波数生成部７０と第２中間周波数生成部６０とが用いる局部発振周波数はＰＬＬ制御により可変可能な構成としてもよい。即ち、第１中間周波数生成部７０及び第２中間周波数生成部６０から出力される中間周波数信号の両方において受信状態が悪い場合は、局部発振周波数を変更した後、変更した局部発振周波数を用いて再度受信状態の判断を行ってもよい。上記構成とすることで、受信状態が悪い環境であっても、最適な局部発振周波数を選択することができ、妨害信号に対する耐性を高めることができる。
【００３９】
図６は、第２の実施形態において図４のステップＳ４により実行される処理を説明するフローチャートである。なお、第２の実施形態にかかるテレビジョン受像機９０の構成は第１の実施形態と同様であるため、説明を行わない。
【００４０】
図４のステップＳ４において、制御部９１が中間周波数信号の受信状態を判断する過程において、図６のステップＳ１１では、制御部９１は判断部５２に第１中間周波数生成部７０から出力された中間周波数信号の受信状態を判断させる。また、ステップＳ１２において、制御部９１は判断部５２に第２中間周波数生成部６０から出力された中間周波数信号の受信状態を判断させる。
【００４１】
ここで、ステップＳ１１及びステップＳ１２において、判断部５２は中間周波数信号の受信状態を信号のレベルをもとに判断してもよい。即ち、図３（ａ）において、中間周波数信号が妨害信号に合成されている場合は、信号のレベルが大きくなることが知られているため、信号レベルが所定の閾値より大きい場合を受信状態が「悪い」と判断してもよい。受信状態を信号レベルで判断すれば、中間周波数信号の位相を検出する必要がなくなるため、処理をより簡易にすることが可能となる。無論、受信状態の判断方法としては第１の実施形態と同様、信号の位相を用いて判断するものであってもよい。
【００４２】
ステップＳ１１及びステップＳ１２において判断した中間周波数信号の受信状態が両方とも「悪い」場合（ステップＳ１３：ＹＥＳ）、ステップＳ１５において制御部８１は、ＰＬＬ回路６４，７４に局部発振器６３，７３が出力する局部発振周波数ＦＡ，ＦＢの値を変更させる。
【００４３】
そして、ステップＳ１６において、制御部９１は検査信号を再取得し、中間周波数信号を生成させ（図４のステップＳ１〜Ｓ３）、図５のステップＳ１１〜Ｓ１３までの処理を実行させる。上記ステップＳ１１〜Ｓ１３までの処理は、第１中間周波数生成部７０又は第２中間周波数生成部６０から出力される中間周波数信号の内、いずれかの受信状態が「良い」と判定されるまで（ステップＳ１３：ＮＯ）繰返される。
【００４４】
一方、ステップＳ１４において、受信状態の判定回数がＮ回を超えた場合は（ＹＥＳ）、制御部９１はテレビジョン受像機９０が設置される環境が悪いと判断し、発振周波数設定処理を終了する(ステップＳ１８)。
【００４５】
また、ステップＳ１３において、第１中間周波数生成部７０又は第２中間周波数生成部６０から出力される中間周波数信号の内、いずれかの受信状態が「良い」と判定されると（ＮＯ）、ステップＳ１７において、制御部９１はステップＳ１４で変更した局部発振周波数ＦＡ，ＦＢの値をメモリーに記憶する。そして、図４のステップ５に移行し処理を継続する。以上、第２の実施形態を説明した。
【００４６】
（３）その他の実施形態：
局部発振周波数を設定する処理において、検査信号を使用することは一例でありこれに限定されない。即ち、放送信号におけるノイズ／エラーレートが予め設定されている場合は、検査信号を用いることなく通常の放送信号を用いて受信状態を判断するものであってもよい。
【００４７】
また、発振周波数設定処理を実行するタイミングとしては、任意のものを想定することが可能である。即ち、ユーザーによるチャンネル選局毎に実行する構成としてもよいし、所定の期間毎に自動で実行する構成としてもよい。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
４０…信号出力部、５０…復調回路、５１…ＡＧＣ回路、５２…判断部、５３…切り替え回路、５４…Ａ／Ｄ変換部、６０…第２中間周波数生成部、６１…アンプ、６２…ミキサー、６３…局部発振器、６４…ＰＬＬ回路、６５…ＡＧＣ回路、６６…ＢＰＦ、６７…Ｉ／Ｆアンプ、７０…第１中間周波数生成部、７１…アンプ、７２…ミキサー、７３…局部発振器、７４…ＰＬＬ回路、７５…ＡＧＣ回路、７６…ＢＰＦ、７７…Ｉ／Ｆアンプ、８０…ＢＰＦ、８１…制御部、９０…テレビジョン受像機、９１…制御部、９２…フロントエンド部、９３…バックエンド部、９６…リモコン受信部
【図１】
2011114783.tif 000003
【図２】
2011114783.tif 000004
【図３】
2011114783.tif 000005
【図４】
2011114783.tif 000006
【図５】
2011114783.tif 000007
【図６】
2011114783.tif 000008